(57)【要約】【課題】マニュアル操作により機械的に光学ヘッドが移動する構成において、フォローアップ撮影の対象とする左右眼の一方に対して、他方の被検眼に誤って光学ヘッドを移動させることを防ぐ。【解決手段】機械的に光学ヘッドを移動させて検査対象となる左右の被検眼の何れかに対応する位置への配置の切り換えを行う左右眼切り換え手段と、光学ヘッドの位置を取得する位置取得手段と、フォローアップ対象となる被検眼と光学ヘッドの配置に対応する被検眼との左右が一致するか否かの判定を行う判定手段と、フォローアップ対象となる被検眼と光学ヘッドに対応する被検眼との左右が異なると判定された場合、被検眼の検査の開始を禁止する制御手段と、を眼科装置に配する。【選択図】図８
2016202371.tif 000002
【特許請求の範囲】
【請求項１】
機械的に光学ヘッドを移動させて検査対象となる左右の被検眼の何れかに対応する位置への配置の切り換えを行う左右眼切り換え手段と、
前記光学ヘッドの位置を取得する位置取得手段と、
フォローアップ対象となる前記被検眼と前記光学ヘッドの配置に対応する前記被検眼との左右とが一致するか否かの判定を行う判定手段と、
前記フォローアップ対象となる被検眼と前記光学ヘッドに対応する前記被検眼との左右が異なると判定された場合、前記被検眼の検査の開始を禁止する制御手段と、を有することを特徴とする眼科装置。
【請求項２】
前記フォローアップ対象となる被検眼と前記光学ヘッドの配置に対応する前記被検眼との左右が異なると判定された場合、前記被検眼の検査の開始を実行するためのボタンを無効表示に切り換えて表示手段に表示させることにより、前記被検眼の検査の開始を禁止することを特徴とする請求項１に記載の眼科装置。
【請求項３】
前記制御手段は、前記フォローアップ対象となる被検眼と前記光学ヘッドの配置に対応する前記被検眼との左右が異なると判定された場合、前記光学ヘッドの配置の切り換えを促すことを示す表示形態を前記表示手段に表示させることを特徴とする請求項２に記載の眼科装置。
【請求項４】
前記制御手段は、前記フォローアップ対象となる被検眼と前記光学ヘッドの配置に対応する前記被検眼との左右が異なると判定された場合、前記判定の結果を示す表示形態を前記表示手段に表示させることを特徴とする請求項２又は３に記載の眼科装置。
【請求項５】
前記フォローアップ対象の検査を行う前記被検眼の左右の一方を指定する左右指定手段を有し、
前記判定手段は、前記指定された被検眼の左右を前記フォローアップ対象となる被検眼の左右として前記判定を実行することを特徴とする請求項１乃至４の何れか一項に記載の眼科装置。
【請求項６】
前記フォローアップ対象の検査を選択する選択手段を有し、
前記判定手段は、前記選択されたフォローアップ対象の検査において指定される前記被検眼の左右を前記フォローアップ対象となる被検眼の左右として前記判定を実行することを特徴とする請求項１乃至５の何れか一項に記載の眼科装置。
【請求項７】
機械的に光学ヘッドを移動させて検査対象となる左右の被検眼の何れかに対応する位置への配置の切り換えを行う左右眼切り換え手段と、
前記光学ヘッドの位置を取得する位置取得手段と、
前記被検眼の左右の一方を指定する左右指定手段と、
前記指定された被検眼の左右と前記光学ヘッドの配置に対応する前記被検眼の左右とが一致するか否かの判定を行う判定手段と、
前記一致しないと判定された場合、前記被検眼の検査の開始を禁止する制御手段と、を有することを特徴とする眼科装置。
【請求項８】
機械的に光学ヘッドを移動させて検査対象となる左右の被検眼の何れかに対応する位置への配置の切り換えを行う左右眼切り換え手段、を有する眼科装置の制御方法であって、
前記光学ヘッドの位置を取得する位置取得工程と、
フォローアップ対象となる前記被検眼と前記光学ヘッドの配置に対応する前記被検眼との左右とが一致するか否かの判定を行う判定工程と、
前記フォローアップ対象となる被検眼と前記光学ヘッドに対応する前記被検眼との左右が異なると判定された場合、前記被検眼の検査の開始を禁止する制御工程と、を有することを特徴とする眼科装置の制御方法。
【請求項９】
前記フォローアップ対象となる被検眼と前記光学ヘッドの配置に対応する前記被検眼との左右が異なると判定された場合、前記被検眼の検査の開始を実行するためのボタンを無効表示に切り換えて表示手段に表示させることにより、前記被検眼の検査の開始を禁止することを特徴とする請求項８に記載の眼科装置の制御方法。
【請求項１０】
前記制御工程において、前記フォローアップ対象となる被検眼と前記光学ヘッドの配置に対応する前記被検眼との左右が異なると判定された場合、前記光学ヘッドの配置の切り換えを促すことを示す表示形態を前記表示手段に表示させることを特徴とする請求項９に記載の眼科装置の制御方法。
【請求項１１】
前記制御工程において、前記フォローアップ対象となる被検眼と前記光学ヘッドの配置に対応する前記被検眼との左右が異なると判定された場合、前記判定の結果を示す表示形態を前記表示手段に表示させることを特徴とする請求項９又は１０に記載の眼科装置の制御方法。
【請求項１２】
前記フォローアップ対象の検査を行う前記被検眼の左右の一方を指定する左右指定工程を有し、
前記判定工程では、前記指定された被検眼の左右を前記フォローアップ対象となる被検眼の左右として前記判定を実行することを特徴とする請求項７乃至１１の何れか一項に記載の眼科装置の制御方法。
【請求項１３】
前記フォローアップ対象の検査を選択するフォローアップ対象検査選択工程を有し、
前記判定工程では、前記選択されたフォローアップ対象の検査において指定される前記被検眼の左右を前記フォローアップ対象となる被検眼の左右として前記判定を実行することを特徴とする請求項７乃至１２の何れか一項に記載の眼科装置の制御方法。
【請求項１４】
機械的に光学ヘッドを移動させて検査対象となる左右の被検眼の何れかに対応する位置への配置の切り換えを行う左右眼切り換え手段、を有する眼科装置の制御方法であって、
前記光学ヘッドの位置を取得する位置取得工程と、
前記被検眼の左右の一方を指定する左右指定工程と、
前記指定された被検眼の左右と前記光学ヘッドの配置に対応する前記被検眼の左右とが一致するか否かの判定を行う判定工程と、
前記一致しないと判定された場合、前記被検眼の検査の開始を禁止する制御工程と、を有することを特徴とする眼科装置の制御方法。
【請求項１５】
請求項７乃至１４の何れか一項に記載の眼科装置の制御方法の各工程をコンピュータに実行させることを特徴とするプログラム。
【発明の詳細な説明】
【技術分野】
【０００１】
本発明は、眼科装置及び眼科装置の制御方法に関するものである。
【背景技術】
【０００２】
現在、光学機器を用いた眼科用の装置として、様々なものが使用されている。例えば、眼を観察する眼科装置として、前眼部撮影装置、眼底カメラ、共焦点レーザー走査検眼鏡（Ｓｃａｎｎｉｎｇ  Ｌａｓｅｒ  Ｏｐｈｔｈａｌｍｏｓｃｏｐｅ：ＳＬＯ）等、様々な装置が使用されている。中でも、多波長光波干渉を利用した光コヒーレンストモグラフィ（Ｏｐｔｉｃａｌ  Ｃｏｈｅｒｅｎｃｅ  Ｔｏｍｏｇｒａｐｈｙ：ＯＣＴ）を利用する光干渉断層撮影装置（以下ＯＣＴ装置と称する。）は、試料の断層像を高解像度に得ることができる装置である。このため、該ＯＣＴ装置は、眼科装置として網膜の専門外来では必要不可欠になりつつある。また、このＯＣＴ装置は、眼科用だけでなく、内視鏡等にも利用されている。ＯＣＴ装置は、眼科診断等において、被検眼の眼底における網膜の断層像や、角膜などの前眼部の断層像を取得するために広く利用されている。
【０００３】
ＯＣＴ装置は、低コヒーレント光である測定光を参照光と測定光とに分け、測定光を被検査物に照射し、その被検査物からの戻り光と参照光とを干渉させ、その干渉光のスペクトル情報から被検査物の断層を測定する。現在のＯＣＴ装置では、上記の干渉光のスペクトル情報から奥行き方向の情報を得ることができるスペクトラムドメイン（Ｓｐｅｃｔｒｕｍ  Ｄｏｍａｉｎ：ＳＤ）−ＯＣＴが一般的に利用されている。
【０００４】
ＯＣＴ装置は、測定光をサンプル上で走査することで、高解像度の断層画像を得ることができる。具体的には、特定の領域に対して測定光を１次元走査することで、２次元断層画像を得る。また、２次元断層画像取得のための１次元走査を、位置をずらしながら繰り返すことで、３次元断層画像を得る。
【０００５】
このようなＯＣＴ装置において、治療の経過観察を行う場合には、被検眼の同一部位について、例えば治療の直前直後、治療後所定期間経過後、更なる所定期間経過後等、時間をおいて複数回撮影をするフォローアップ撮影が行われている（特許文献１および２）。
【先行技術文献】
【特許文献】
【０００６】
【特許文献１】特開２００８−００５９８７号公報
【特許文献２】特開２０１０−１１０３９１号公報
【発明の概要】
【発明が解決しようとする課題】
【０００７】
ＯＣＴ装置において、検査する左右の眼を切り換えるための、装置のステージの移動を電動制御する構成がある。このような構成の場合、フォローアップ撮影を行う対象に対しての検査項目を選択した後、該選択した項目の検査を行う左右一方の被検眼ではなくその他方の被検眼に誤ってステージ移動をしないように、ステージ移動を禁止することができる。
【０００８】
ここで、左右眼を切り換えるステージ移動を電動制御ではなく、マニュアル操作により機械的に移動する構成も存在する。このような構成の場合、フォローアップ撮影を行う状態にあるにもかかわらず、検査対象としている一方の被検眼から他方の被検眼に誤ってステージを移動することができてしまう。
【０００９】
特許文献１或いは２のいずれに開示される装置においては、フォローアップ撮影の対象としている検査において、同一部位の撮影を行うことを目的としたものである。従って、フォローアップ対象の検査を選択した後、ステージを移動させて当該検査時の検査対象とは異なる他方の被検眼に切り換えることは想定しておらず、これに関しては言及していない。
【００１０】
本発明は、上述の問題点を解消し、左右眼を切り換えるステージ移動を電動制御しない構成において、例えばフォローアップ撮影時において誤ってステージを移動する可能性を低減することを目的とする。
【課題を解決するための手段】
【００１１】
上記目的を達成するため、本発明に係る眼科装置は、
機械的に光学ヘッドを移動させて検査対象となる左右の被検眼の何れかに対応する位置への配置の切り換えを行う左右眼切り換え手段と、
前記光学ヘッドの位置を取得する位置取得手段と、
フォローアップ対象となる前記被検眼と前記光学ヘッドの配置に対応する前記被検眼との左右が一致するか否かの判定を行う判定手段と、
前記フォローアップ対象となる被検眼と前記光学ヘッドに対応する前記被検眼との左右が異なると判定された場合、前記被検眼の検査の開始を禁止する制御手段と、を有することを特徴とする。
【発明の効果】
【００１２】
本発明によれば、左右眼を切り換えるステージ移動を電動制御しない構成であっても、フォローアップ撮影等において誤ってステージを移動させることを防止することが可能となる。
【図面の簡単な説明】
【００１３】
【図１】本発明の一実施例に係るＯＣＴ装置の全体構成図である。
【図２】図１に示すＯＣＴ装置の測定光学系の説明図である。
【図３】図１に示すＯＣＴ装置における通常撮影時の画面表示例である。
【図４】図１に示すＯＣＴ装置におけるステージ位置の表示様式の一例である。
【図５】図１に示すＯＣＴ装置におけるフォローアップ撮影時の画面表示例である。
【図６】フォローアップ対象検査一覧から検査項目を選択する際の操作例である。
【図７】本発明の一実施例に係るＯＣＴ装置の機能ブロック図である。
【図８】本発明の一実施例に係るＯＣＴ装置におけるフォローアップ撮影時の操作の説明をするフローチャートである。
【図９】フォローアップ撮影を行う検査対象となる左右一方の眼と現在のステージの配置が対象とする左右一方の眼位置とが異なり検査の開始を禁止する表示例である。
【図１０】ステージ位置の移動を促す表示の一例である。
【図１１】ステージ位置の移動を促す表示の他の例である。
【図１２】ステージ位置の移動を促す表示の更なる例である。
【発明を実施するための形態】
【００１４】
本発明の実施例に関して、以下に参照する図面に基づいて詳細に説明する。なお、以下の実施例は特許請求の範囲に関わる本発明を限定するものではなく、また、本実施例で説明されている特徴の組み合わせの全てが本発明の解決手段に必須のものとは限らない。
【実施例】
【００１５】
（本体構成）
図１は、本発明に係る眼科装置の一実施例におけるＯＣＴ装置の概略構成図である。
【００１６】
本実施例に係るＯＣＴ装置は、光学ヘッド１００、ステージ部１０１、ベース部１０２、制御部１０３、記憶部１０４、入力部１０５、及び表示部１０６を有する。光学ヘッド１００は測定光学系を内蔵し、前眼部像、被検眼のＳＬＯ眼底像、及び断層画像を取得するために用いられ、後述する各光学要素を内蔵する。ステージ部１０１は光学ヘッド１００を支持してこれを前後左右に移動可能とする。ベース部１０２は、ステージ部を支持すると共に、後述の分光器等を内蔵する。
【００１７】
制御部１０３たるパソコン（パーソナルコンピュータ）は、ステージ部１０１の制御、アライメント動作の制御、および断層画像の構成などを行う。記憶部１０４は例えばパソコン１０３内のハードディスクとして構成され、断層撮像用のプログラム、患者情報、撮影データ、正常データベースの統計情報等を記憶する。入力部１０５は、パソコンへの指示を行う際に用いられ、具体的にはキーボードとマウスから構成される。表示部１０６は、モニタ等であり断層画像、後述する各種操作画面等の表示を行う。
【００１８】
（測定光学系および分光器の構成）
次に、本実施例におけるＯＣＴ装置の光学ヘッド１００に内蔵される各光学部材、及びベース部１０２に内蔵される分光器の構成について図２を用いて説明する。
【００１９】
まず、光学ヘッド１００の内部について説明する。被検眼２００に対向して対物レンズ２０１が設置され、その光軸上に第１ダイクロックミラー２０２及び第２ダイクロイックミラー２０３が配置されている。これらのダイクロイックミラーによって、被検眼２００からの光路は、前眼観察用光路２５２、ＯＣＴ光学系の光路２５０、及び光路２５１に波長帯域ごとに分岐される。光路２５１は、後述するように、被検眼の観察とＳＬＯ眼底像の取得とを兼ねるＳＬＯ光学系の光路と、固視灯用の光路２５１とに、更に波長帯域ごとに分岐される。
【００２０】
光路２５１は、第２ダイクロイックミラー２０３より順に、ＳＬＯ走査手段２０４、ＳＬＯ合焦レンズ２０５、レンズ２０６、ミラー２０７、第３ダイクロイックミラー２０８、フォトダイオード２０９、ＳＬＯ光源２１０、及び固視灯２１１を有している。ミラー２０７は、穴あきミラーや中空のミラーが蒸着されたプリズムであり、ＳＬＯ光源２１０による照明光と、被検眼からの戻り光とを分離する。第３ダイクロイックミラー２０８は、光路２５１を、ＳＬＯ光源２１０に至る光路及び固視灯２１１への光路へと波長帯域ごとに分岐する。
【００２１】
ＳＬＯ走査手段２０４は、ＳＬＯ光源２１０或いは固視灯２１１から発せられた光を被検眼２００上で走査するものであり、同図中のＸ方向に走査するＸスキャナ、及びＹ方向に走査するＹスキャナから構成されている。なお、本実施例では、Ｘスキャナは高速走査を行う必要があるためポリゴンミラーによって、Ｙスキャナはガルバノミラーによって構成されている。
【００２２】
ＳＬＯ合焦レンズ２０５はＳＬＯ光学系及び固視灯２１１の焦点合わせのため、不図示のモータによって図中矢印にて示す光軸方向に駆動される。ＳＬＯ光源２１０は、７８０ｎｍ付近の波長の光を発生する。フォトダイオード２０９は、被検眼２００からの戻り光を検出する。固視灯２１１は、可視光を発生して被検者の固視を促すものである。
【００２３】
ＳＬＯ光源２１０から発せられた光は、第３ダイクロイックミラー２０８で反射され、ミラー２０７を通過し、レンズ２０６及びＳＬＯ合焦レンズ２０５を通り、ＳＬＯ走査手段２０４によって、被検眼２００上で走査される。被検眼２００からの戻り光は、投影光と同じ経路を戻った後、ミラー２０７によって反射され、フォトダイオード２０９へと導かれる。フォトダイオード２０９により受光された戻り光から得られた強度信号に基づき、制御部１０３によるＳＬＯ眼底像が得られる。
【００２４】
固視灯２１１から発せられた光は、第３ダイクロイックミラー２０８及びミラー２０７を透過し、レンズ２０６及びＳＬＯ合焦レンズ２０５を通り、ＳＬＯ走査手段２０４によって被検眼２００上で走査される。この時、ＳＬＯ走査手段の動きに合わせて固視灯２１１を点滅させることによって、被検眼２００上の任意の位置に任意の形状をつくり、被検者の固視を促す。
【００２５】
前眼観察用の光路２５２には、第１ダイクロイックミラー２０２より順に、レンズ２１２、スプリットプリズム２１４、レンズ２１３及びＣＣＤ２１５が配置される。ＣＣＤ２１５は、赤外光を検知する前眼部観察用のＣＣＤである。このＣＣＤ２１５は、不図示の前眼観察用照射光の波長、具体的には９７０ｎｍ付近の光に感度を持つものである。スプリットプリズム２１４は、被検眼２００の瞳孔と共役な位置に配置されており、被検眼２００に対する測定光学系１００のＺ方向（前後方向）の距離を、前眼部のスプリット像として検出することができる。
【００２６】
ＯＣＴ光学系の光路２５０は、前述の通りＯＣＴ光学系を成しており、被検眼２００の断層画像を撮像するため光学部材が配置される。より具体的には、被検眼２００の断層画像を形成するための干渉信号を得るものである。光路２５０上には、第２ダイクロイックミラーより順に、ＯＣＴＸＹスキャナ２１６、ＯＣＴ合焦レンズ２１７、及びレンズ２１８が配置され、その後段に配置されるＯＣＴ測定光を射出するファイバー２２４の端部に至る。ＯＣＴＸＹスキャナ２１６は、測定光を被検眼上で走査するために用いられる。なお、ＸＹスキャナ２１６は１枚のミラーとして図示してあるが、ＸＹ２軸方向の走査を行うガルバノミラーである。
【００２７】
ＯＣＴ合焦レンズ２１７は、光カプラー２１９に接続されているファイバー２２４から出射するＯＣＴ光源２２０からの光を被検眼２００に焦点合わせするために、不図示のモータによって図中矢印にて示す光軸方向に駆動される。この焦点合わせによって、被検眼２００からの戻り光は同時にファイバー２２４の先端に、スポット状に結像されて入射されることとなる。
【００２８】
次に、ＯＣＴ光源２２０からの光路、参照光学系、及び分光器の構成について説明する。これらに配置される光学部材等として、ＯＣＴ光源２２０、参照ミラー２２１、分散補償ガラス２２２、レンズ２２３、光カプラー２１９、光ファイバー２２４〜２２７、及び分光器２３０がある。なお、光ファイバー２２４〜２２７は光カプラー２１９に接続されて一体化している。これらの構成によって、本実施例に係るＯＣＴ装置においてはマイケルソン干渉系を構成している。
【００２９】
ＯＣＴ光源２２０から出射された光は、光ファイバー２２５を通じ、光カプラー２１９に導かれる。光カプラー２１９では、この光を光ファイバー２２４側に導かれる測定光と、光ファイバー２２６側に導かれる参照光とに分割する。測定光は光ファイバー２２４より前述のＯＣＴ光学系の光路２５０に導かれる。測定光は更に光路２５０を通じ、観察対象である被検眼２００に照射される。該測定光が被検眼によって反射や散乱されて生じた戻り光は、同じ光路２５０を通じて光ファイバー２２４の先端に至り、光カプラー２１９に到達する。
【００３０】
一方、参照光は、光ファイバー２２６を通じて参照光学系に導かれる。参照光学系は、レンズ２２３、分散補償ガラス２２２及び参照ミラー２２１を有する。分散補償ガラス２２２は、測定光と参照光の分散を合わせるために参照光学系の光路に挿入されている。参照光は、これらレンズ２２３及び分散補償ガラス２２２を介して参照ミラー２２１に到達し反射される。そして同じ光路を戻り、光ファイバー２２６を通じて光カプラー２１９に到達する。
【００３１】
光カプラー２１９によって、戻り光と参照光とは合波され干渉光となる。ここで、測定光及び戻り光の光路長と参照光の光路長とがほぼ同一となったときに干渉を生じる。参照ミラー２２１は、不図示のモータ及び駆動機構によって光軸方向に位置調整可能に保持され、被検眼２００によって変わる測定光の光路長に参照光の光路長を合わせることが可能である。干渉光は光ファイバー２２７を介して分光器２３０に導かれる。
【００３２】
また、光ファイバー２２４中には、測定光側の偏光調整部２２８が設けられる。光ファイバー２２６中には、参照光側の偏光調整部２２９が設けられる。これらの偏光調整部は光ファイバーをループ状にひきまわした部分を幾つか持っている。このループ状の部分をファイバーの長手方向を中心として回動させることでファイバーに捩じりを加え、測定光と参照光との偏光状態を各々調整して合わせることが可能となる。
【００３３】
分光器２３０はレンズ２３２、２３４、回折格子２３３、及びラインセンサ２３１から構成される。光ファイバー２２７から出射された干渉光はレンズ２３４を介して平行光となった後、回折格子２３３で分光され、レンズ２３２によってラインセンサ２３１上に結像される。
【００３４】
次に、ＯＣＴ光源２２０の周辺について説明する。ＯＣＴ光源２２０は、代表的な低コヒーレント光源であるＳＬＤ（Ｓｕｐｅｒ  Ｌｕｍｉｎｅｓｃｅｎｔ  Ｄｉｏｄｅ）である。射出する光の中心波長は８５５ｎｍ、波長バンド幅は約１００ｎｍである。ここで、バンド幅は、得られる断層画像の光軸方向の分解能に影響するため、重要なパラメータである。
【００３５】
なお、光源の種類は、ここではＳＬＤを選択したが、低コヒーレント光が出射できればよく、ＡＳＥ（Ａｍｐｌｉｆｉｅｄ  Ｓｐｏｎｔａｎｅｏｕｓ  Ｅｍｉｓｓｉｏｎ）等を用いることができる。中心波長は眼を測定することを鑑みると近赤外光が適する。また、中心波長は得られる断層画像の横方向の分解能に影響するため、なるべく短波長であることが望ましい。双方の理由から、本実施例では用いる光の中心波長８５５ｎｍとした。
【００３６】
また、本実施形態では干渉系としてマイケルソン干渉系を用いたが、マッハツェンダー干渉系を用いても良い。測定光と参照光との光量差に応じて、光量差が大きい場合にはマッハツェンダー干渉系を、光量差が比較的小さい場合にはマイケルソン干渉系を用いることが望ましい。
【００３７】
以上のような構成により、被検眼の断層画像を取得することができ、かつ、近赤外光であってもコントラストの高い被検眼のＳＬＯ眼底像を取得することができる。
【００３８】
（断層画像の撮像方法）
ＯＣＴ装置を用いた断層画像の撮像方法について説明する。
ＯＣＴ装置はＸＹスキャナ２１６を制御することで、被検眼２００の所定部位の断層画像を撮像することができる。ここで、断層画像取得のために測定光を被検眼中で走査する軌跡のことをスキャンパターン（走査パターン）と呼ぶ。このスキャンパターンには、例えば、一点を中心として縦横十字にスキャンするクロススキャンや、エリア全体を塗りつぶすようにスキャンし、結果として３次元断層画像を得る３Ｄスキャンなどがある。特定の部位に対して詳細な観察を行いたい場合はクロススキャンが適しており、網膜全体の層構造や層厚を観察したい場合は３Ｄスキャンが適している。
【００３９】
ここでは、３Ｄスキャンを実行した場合の撮像方法を説明する。まず、図中Ｘ方向に測定光のスキャン（走査）を行い、被検眼におけるＸ方向の撮像範囲から所定の撮像本数の情報をラインセンサ２３１で取得する。Ｘ方向のある位置で得られるラインセンサ２３１上の輝度分布を高速フーリエ変換（Ｆａｓｔ  Ｆｏｕｒｉｅｒ  Ｔｒａｎｓｆｏｒｍ：ＦＦＴ）し、ＦＦＴで得られた線状の輝度分布をモニタ１０６に示すために濃度情報に変換する。このようにして得られたある位置での深さ方向の濃度情報を画像化したものを、Ａスキャン画像と呼ぶ。
【００４０】
また、この複数のＡスキャン画像をＸ方向の位置に応じて並べて得られた２次元の画像を、Ｂスキャン画像と呼ぶ。１つのＢスキャン画像を構成するための複数のＡスキャン画像を撮像した後、Ｙ方向のスキャン位置を移動させて再びＸ方向のスキャンを行うことにより、複数のＢスキャン画像が得られる。これらＢスキャン画像をＹ方向のスキャン位置に応じて並べることにより３次元断層画像が構築できる。
【００４１】
複数のＢスキャン画像、あるいは複数のＢスキャン画像から構築した３次元断層画像をモニタ１０６に表示することで、検者が被検眼の診断を行うことができる。なお、ここでは、Ｘ方向のＢスキャン画像を複数得ることで３次元断層画像を得る例を示したが、Ｙ方向のＢスキャン画像を複数得ることで３次元断層画像を得てもよい。
【００４２】
（通常撮影時の画面表示）
図３に、通常撮影時の画面表示例を示す。
位置表示指示灯３０１は、光学ヘッド１００の現在の左右眼位置、即ち現状において光学ヘッド１００が左右眼の何れの眼を対象とする位置に配置されているかを表示する。その際、例えば、図４に示すように、実際の右眼、左眼に対して、現在の光学ヘッド１００の位置で対応できている場合と現在のステージ位置で対応できていない場合とが区別できるように表示する。
【００４３】
検査セット選択表示部３０２は、検査の目的に応じて、検査セットを選択する際に用いられる。検査セット選択表示部３０２で検査セットを選択すると、選択した検査セットに対応するスキャンモードがモード表示部３０３に表示され、現在選択されているスキャンモードが実行モード表示部３０４に表示される。
【００４４】
開始指示ボタン３０５は検査の開始を指示するＳｔａｒｔボタンを示し、撮影開始ボタン３０６は撮影の開始を指示するＣａｐｔｕｒｅボタンを示す。Ｓｔａｒｔボタンを押下すると、プレビュー画面３０７に、ＳＬＯのプレビュー画像が表示される。
【００４５】
（フォローアップ撮影時の画面表示）
図５に、フォローアップ撮影時の画面表示例を示す。
本実施例では、被検者の過去に撮影した際の検査データから、自動的にフォローアップ対象の検査データ一覧を作成した場合について説明する。
【００４６】
この場合、検査セット選択表示部５０２において選択される検査セットに、Ｆｏｌｌｏｗ−ｕｐが追加される。また、Ｆｏｌｌｏｗ−ｕｐが選択されている時には、検査表示部５０３に現在のフォローアップ対象検査が表示される。検査表示部５０３には、フォローアップ対象検査の一覧が登録されており、図６に示すように、指定スイッチ６００を押下することにより、フォローアップ対象検査の一覧を展開表示し、フォローアップ対象検査を切り換えることができる。
【００４７】
選択結果表示部５０４には、フォローアップ対象検査数と、現在選択されているフォローアップ対象検査がフォローアップ対象検査のうち何番目の検査であるかが表示される。図６の場合、フォローアップ対象検査として４種の検査が登録されており、現在選択されている検査は１番目の検査であるため、１／４と表示している。
【００４８】
（機能ブロック図）
図７は、本実施例におけるＯＣＴ装置の機能ブロック図である。本実施例に係るＯＣＴ装置は、機能ブロックとしてフォローアップ対象検査選択手段７００、フォローアップ対象検査の左右眼取得手段７０１、ステージの左右眼位置取得手段７０２、判定手段７０３、制御手段７０４、及び表示手段７０５を有する。なお、光学ヘッド１００の配置は、実際にはステージ部１０１の位置として検知されることから、以下ではステージ部の位置として説明を続ける。また、当該機能ブロック図には明示されていないが、制御手段７０４は、機械的に光学ヘッド１００を移動させて検査対象となる左右の被検眼の何れかに対応する位置への配置の切り換えを行う左右眼切り換え手段として機能するモジュールを有する。また、後述するフォローアップ対象検査選択手段７００によってフォローアップ対象として検査を選択した場合、これに応じて検査を実行する被検眼の左右も指定される。制御手段７０４は、この検査を実行する被検眼の左右の一方を指定する左右指定手段として機能するモジュールも有する。
【００４９】
フォローアップ対象検査選択手段７００は、フォローアップ対象の検査を選択する。例えば、図６に示すように、フォローアップ対象の検査一覧から、フォローアップ対象検査を選択する。また、撮影ごとにフォローアップ対象の検査を自動切り換えしても良い。なお、本実施例では説明しないが、フォローアップ対象の検査は、被検者の過去に撮影した検査一覧から選択しても良い。
【００５０】
フォローアップ対象検査の左右眼取得手段７０１は、フォローアップ対象検査選択手段で選択された検査の左右眼情報を取得する。
【００５１】
ステージの左右眼位置取得手段７０２は、ステージ部１０１の現在の配置が左右眼の何れに対応する位置となっているか（ステージの左右眼位置）を取得する。判定手段７０３は、フォローアップ対象検査の左右眼とステージの左右眼位置とを比較し、一致しているか否かを判定する。制御手段７０４は、判定手段７０３において、フォローアップ対象検査の左右眼とステージの左右眼位置とが異なっていると判定された場合、即ち、指定されて被検眼の左右とステージの左右眼位置とが一致しないと判定された場合、検査の開始を禁止する。
【００５２】
表示手段７０５は、判定手段７０３において、フォローアップ対象検査の左右眼とステージの左右眼位置とが異なっていると判定された場合、検査の開始を禁止していることを表示する。なお、この表示等は、制御手段７０４内の表示制御モジュールにより、当該表示形態を該表示手段たる表示部１０６に表示させる。また、判定手段７０３においてフォローアップ対象検査の左右眼とステージの左右眼位置が異なっていると判定された場合、該制御手段７０４はステージの配置の切り換えを促すことを示す表示形態を表示手段７０５に表示させる。また、制御手段７０４は、フォローアップ対象検査の左右眼とステージの左右眼位置とが異なっていると判定された場合、表示手段７０５に対して、この判定の結果を示す表示形態を表示させる。
【００５３】
（フローチャート）
図８は、フォローアップ対象検査が選択された時の検査開始までの一連の操作を示すフローチャートである。
【００５４】
ステップＳ８０１では、選択されたフォローアップ対象検査の左右眼情報を取得する。
【００５５】
ステップＳ８０２では、ステージ部１０１の現在の左右眼位置を取得する。
【００５６】
ステップＳ８０３では、選択されたフォローアップ対象検査の左右眼とステージの現在の左右眼位置とを比較する。一致する場合にはフローはステップＳ８０４に進み、一致しない場合にはフローはステップＳ８０５に進む。
【００５７】
ステップＳ８０４では、検査の開始を許可する。例えば、図５に示すように、フォローアップ対象検査の左右眼が検査表示部５０３に示すように右眼で、現在のステージの左右眼位置が位置表示指示灯５０１に示すように右眼の場合、開始指示ボタン５０５のＳｔａｒｔボタンを有効表示する。
【００５８】
ステップＳ８０５では、検査の開始を禁止する。例えば、図９に示すように、フォローアップ対象検査の左右眼が９０３に示すように右眼で、現在のステージの左右眼位置が９０１に示すように左眼の場合、９０５のＳｔａｒｔボタンを無効表示する。即ち、検査開始のボタンを無効表示に切り替えて表示部１０６に表示させる。なお、検査開始を禁止する様式はここで述べた態様に限定されず、検査開始ボタンを押下げしても検査が実行されない態様とすることも可能である。
【００５９】
ステップＳ８０６では、フォローアップ対象検査とされた左右眼の何れかの眼に対応する位置へのステージ部１０１の移動を促す表示を行う。例えば、図１０に示すように、ステージ部１０１の移動先として、図４に示したような現在のステージ位置である場合の表示と、現在のステージ位置でない場合の表示とは異なる表示をする。この場合、注意を喚起するように、現在のステージ位置である場合、現在のステージ位置でない場合よりも目立つ色によって移動先を表示する方が望ましい。また、移動先を点滅表示しても良いし、図１１に示すように、図１０のステージ部１０１の移動先の表示と図４の現在のステージ位置でない場合の表示とを交互に表示することとしても良い。さらに、図１２に示すように、メッセージを表示しても良い。ここでは、フォローアップ対象検査の左右眼がモード表示部１２０３に示すように右眼であり、且つ現在のステージ部１０１の配置が位置表示指示灯１２０１に示すように左眼である場合を示す。本例では、ステージ部１０１の位置を右眼用配置に切り換えるように、ステージ位置の切り換えを促すメッセージを表示している。
【００６０】
なお、本実施例では、選択されたフォローアップ対象検査の左右眼とステージの現在の左右眼位置が異なる場合、画面のボタンを無効化したが、検査の開始を物理スイッチによって行う場合、そのスイッチ操作を無効化しても良い。また、本実施例では、ＯＣＴ装置に関して説明したが、眼底カメラ、ＳＬＯ装置、ＡＯ−ＳＬＯ装置、視野計測器、眼圧測定機などの他の眼科装置においても適用可能である。
【００６１】
本発明によれば、左右眼を切り換えるステージ移動を電動制御しない構成であっても、フォローアップ撮影等において誤ってステージを移動させることを防止することが可能となり、仮に移動させる操作を実行しようとしても、検者が容易に気付くことができる。なお、本発明はフォローアップ対象検査において特に顕著な効果が得られるが、通常の左右眼を連続的に測定する場合であっても、操作者の誤操作を抑制するという意味で効果が得られる。
【００６２】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６３】
１００    測定光学系
１０１    ステージ部
１０２    ベース部
１０３    パソコン
１０４    記憶部
１０５    入力部
１０６    表示部
２００    被検眼
２０９    フォトダイオード
２１０    ＳＬＯ光源
２２０    ＯＣＴ光源
２３１    ラインセンサ
【図１】
2016202371.tif 000003
【図２】
2016202371.tif 000004
【図７】
2016202371.tif 000005
【図８】
2016202371.tif 000006
【図１０】
2016202371.tif 000007
【図３】
2016202371.tif 000008
【図４】
2016202371.tif 000009
【図５】
2016202371.tif 000010
【図６】
2016202371.tif 000011
【図９】
2016202371.tif 000012
【図１１】
2016202371.tif 000013
【図１２】
2016202371.tif 000014